(57)【要約】【課題】隣接する座席との間を仕切る効果を有すると共に、遊技者が着席、離席時に邪魔にならない遊技機用肘掛け装置を提供する。【解決手段】遊技機用肘掛け装置は、隣接する遊技機の座席の間に設けられる遊技機用肘掛け装置であって、床面に立設される支持部材と、支持部材の上端部に設けられた肘掛け部と、支持部材に固着され、支持部材を遊技機の膳板に固定する固定金具とを備え、支持部材は、高さ方向の中央部において遊技者側から遊技機側に湾曲した形状に形成された湾曲部を有する。【選択図】図１
2019166106.tif 000002
【特許請求の範囲】
【請求項１】
隣接する遊技機の座席の間に設けられる遊技機用肘掛け装置であって、
床面に立設される支持部材と、
前記支持部材の上端部に設けられた肘掛け部と、
前記支持部材に固着され、前記支持部材を前記遊技機の膳板に固定する固定金具とを備え、
前記支持部材は、高さ方向の中央部において遊技者側から前記遊技機側に湾曲した形状に形成された湾曲部を有することを特徴とする遊技機用肘掛け装置。
【請求項２】
前記支持部材の湾曲部が前記遊技機の膳板の下部空間に配置可能に構成されていることを特徴とする請求項１に記載の遊技機用肘掛け装置。
【請求項３】
前記床面に設けられ、前記支持部材の下端に着脱可能に嵌合する嵌合凸部を有する下端固定金具をさらに備え、
前記支持部材の下端には、前記嵌合凸部と嵌合する嵌合凹部が設けられていることを特徴とする請求項１又は２に記載の遊技機用肘掛け装置。
【請求項４】
前記支持部材の前記嵌合凹部には、下端固定金具の前記嵌合凸部と嵌合した状態を維持するロック機構を有することを特徴とする請求項３に記載の遊技機用肘掛け装置。
【請求項５】
前記肘掛け部は、前記支持部材の上端に設けられたレール部材と、該レール部材の伸長方向にスライド自在に装着されたスライド部材と、該スライド部材に装着され、腕載せ面を有する板状部材と、該板状部材の一方の側縁に取り付けられ、スライド方向に沿って伸長する回動軸とを備えており、
前記板状部材は、前記回動軸を中心に略垂直方向及び略水平方向の間で約９０度回動可能に構成されていることを特徴とする請求項１から４にいずれか１項に記載の遊技機用肘掛け装置。
【請求項６】
前記腕載せ部は、前記回動位置を前記略垂直方向及び前記略水平方向にそれぞれ保持可能に構成されていることを特徴とする請求項５に記載の遊技機用肘掛け装置。
【請求項７】
前記腕載せ部の少なくとも前記腕載せ面が、樹脂材料で形成されていることを特徴とする請求項５又は６に記載の遊技機用肘掛け装置。
【発明の詳細な説明】
【技術分野】
【０００１】
本発明は、隣接する遊技機の座席の間に簡単に設置することができ、遊技者が遊技機の操作ハンドルを操作する際等に肘を載せるための遊技機用肘掛け装置に関する。
【背景技術】
【０００２】
遊技機（例えば、パチンコ台、スロット台及び／又はパチスロ台等）を使用する場合、遊技者が遊技機前面の右側（遊技者から見て）に突設されたハンドルやレバーを手動で操作してゲームを行う。しかしながら、このようなゲームを長時間に渡って続けると、腕や肩に疲労が生じ、ゲームを充分に楽しむことができなくなる可能性があった。
【０００３】
このような腕や肩の疲労を軽減する目的で、隣接する遊技台の遊技客に気を使うことなくゆったりと遊技ができ、腕の疲れを感じさせることなく遊技に集中できる遊技装置が提案されている（例えば、特許文献１）。
【０００４】
特許文献１に記載された遊技装置は、遊技台（遊技機）と、遊技台が取り付けられる取り付け構造体と、遊技台の前面に設けられた座席と、隣接する座席との間を仕切る遊技台の遊技用の操作部材側に設けられた仕切部材と、仕切部材に設けられたアームレストとを有する。
【先行技術文献】
【特許文献】
【０００５】
【特許文献１】実用新案登録第３０３３５０５号公報
【発明の概要】
【発明が解決しようとする課題】
【０００６】
特許文献１に係る遊技装置は、遊技機の操作ハンドルを操作する際等にアームレストに肘を載せることができるが、仕切部材は、遊技者が着席、離席時に足に当たり、邪魔になるという大きな問題があった。
【０００７】
また、仕切部材は、遊技機の取り付け構造体に固着されているため、不用時に取り外しができないという問題点もあった。また、遊技機周辺の掃除の際にも装着部が邪魔となる。
【０００８】
従って、本発明の目的は、このような状況に鑑みてなされたものであって、隣接する座席との間を仕切る効果を有すると共に、遊技者が着席、離席時に邪魔にならない遊技機用肘掛け装置を提供することにある。
【０００９】
本発明の他の目的は、隣接する遊技機の座席の間に簡単に設置することができる遊技機用肘掛け装置を提供することにある。
【課題を解決するための手段】
【００１０】
本発明によれば、遊技機用肘掛け装置は、隣接する遊技機の座席の間に設けられる遊技機用肘掛け装置であって、床面に立設される支持部材と、支持部材の上端部に設けられた肘掛け部と、支持部材に固着され、支持部材を遊技機の膳板に固定する固定金具とを備え、支持部材は、高さ方向の中央部において遊技者側から遊技機側に湾曲した形状に形成された湾曲部を有する。
【００１１】
このような遊技機用肘掛け装置によれば、隣接する遊技機の座席の間に簡単に設置することができ、かつ遊技者が着席、離席時に邪魔にならない。また、取り付け、取り外しが容易にできる。
【００１２】
支持部材の湾曲部が遊技機の膳板の下部空間に配置可能に構成されていることが好ましい。
【００１３】
床面に設けられ、支持部材の下端に着脱可能に嵌合する嵌合凸部を有する下端固定金具をさらに備え、支持部材の下端には、嵌合凸部と嵌合する嵌合凹部が設けられていることが好ましい。
【００１４】
肘掛け部は、支持部材の上端に設けられたレール部材と、レール部材の伸長方向にスライド自在に装着されたスライド部材と、スライド部材に装着され、腕載せ面を有する板状部材と、板状部材の一方の側縁に取り付けられ、スライド方向に沿って伸長する回動軸とを備えており、板状部材は、回動軸を中心に略垂直方向及び略水平方向の間で約９０度回動可能に構成されていることが好ましい。
【００１５】
腕載せ部は、回動位置を略垂直方向及び略水平方向にそれぞれ保持可能に構成されていることが好ましい。
【００１６】
腕載せ部の少なくとも腕載せ面が、樹脂材料で形成されていることが好ましい。これにより、腕載せ面に柔軟性を持たせ、手の動き及び腕の動きへのなじみを良好にすることができる。
【発明の効果】
【００１７】
本考案によれば、隣接する遊技機の座席の間に設けられる遊技機用肘掛け装置は、床面に立設される支持部材と、支持部材の上端部に設けられた肘掛け部と、支持部材に固着され、支持部材を遊技機の膳板に固定する固定金具とを備え、支持部材は、遊技機側に湾曲した形状に形成された湾曲部を有する構造により、隣接する座席との間を仕切る効果を有すると共に、遊技者が着席、離席時に邪魔にならない効果が得られる。
【００１８】
また、隣接する遊技機の座席の間に簡単に設置することができ、かつ取り付け、取り外しが容易にできる。
【図面の簡単な説明】
【００１９】
【図１】本発明の第１の実施形態における遊技機用肘掛け装置の構成を概略的に示す斜視図である。
【図２】図１の実施形態における遊技機用肘掛け装置の構成を概略的に示す側面図及び前面図である。
【図３】図１の実施形態における遊技機用肘掛け装置の支持部材の下端部の裏側から見た図及び支持部材の底面の構成を概略的に示す拡大図である。
【図４】図１の実施形態における遊技機用肘掛け装置の固定金具の構成を概略的に示す斜視図である。
【図５】図１の実施形態における遊技機用肘掛け装置の下端固定金具の構成を概略的に示す斜視図である。
【図６】本発明の第２の実施形態における遊技機用肘掛け装置の構成を概略的に示す側面図及び前面図である。
【発明を実施するための形態】
【００２０】
以下、本発明に係る遊技機用肘掛け装置に関する実施形態を、図を参照して説明する。
【００２１】
図１及び図２は本発明の第１の実施形態における遊技機用肘掛け装置１００の全体構成を示している。ただし、図１はパチンコ台用の遊技機用肘掛け装置１００の使用状態を示しており、図２（ａ）は遊技機用肘掛け装置１００の側面から見た平面図であり、図２（ｂ）は遊技機用腕載せ台１００の前面から見た平面図である。図３は支持部材１０の構成を示しており、同図（ａ）は支持部材１０の下端部の裏側から見た図であり、（ｂ）支持部材１０の底面図である。図４は固定金具３０の構成を示しており、図５は下端固定金具４０の構成を示している。
【００２２】
図１〜５に示すように、本実施形態における遊技機用肘掛け装置１００は、隣接する遊技機Ｐの座席の間に設けられるものであり、床面に立設される支持部材１０と、支持部材１０の上端部に設けられた肘掛け部２０と、支持部材１０に固着され、支持部材１０を遊技機Ｐの膳板Ｔに固定する固定金具３０と、床面に設けられた下端固定金具４０とを備えている。
【００２３】
支持部材１０は、例えば、木製板材から形成されている。この支持部材１０は、高さ方向の中央部において遊技者側から遊技機Ｐ側に湾曲した形状に形成された湾曲部１１を有している。湾曲部１１は、遊技機Ｐの膳板Ｔの下部空間に配置可能な形状に形成されている。支持部材１０の下端には、床面に設けられた下端固定金具４０の嵌合凸部４１に嵌合する嵌合凹部１２と、ベース部４２に嵌合する凹部１２ａとからなる逆Ｔ字型の溝が設けられている。この逆Ｔ字型の溝の一端は、開口しており、下端固定金具４０の嵌合凸部４１と嵌合した状態を維持するロック機構１３が設けられている。ロック機構１３は、例えば、回動軸と、この回動軸を介して装着された金属片とから構成されている。なお、ロック機構１３の構成はこれに限定されるものではない。支持部材１０の上端部には、肘掛け部２０が取り付けられている。
【００２４】
肘掛け部２０は、支持部材１０の上端に設けられたレール部材２１と、レール部材２１の伸長方向にスライド自在に装着されたスライド部材２２と、スライド部材２２に装着され、腕載せ面を有する腕載せ部材２３と、腕載せ部材２３の一方の側縁に取り付けられ、スライド方向に沿って伸長する回動軸２４とを備えている。腕載せ部材２３は、回動軸２４を中心に略垂直方向及び略水平方向の間で約９０度回動可能に構成されている。
【００２５】
レール部材２１は、所定長さを有するレール状部材２１であり、幅広頭部を有する凸形状の軸断面を有しており、スライド部材２２のスライド溝がこのレール部材２１に嵌合するように構成されている。スライド部材２２がレール部材２１に沿って摺動することによって、肘掛け部２０が前後に移動することができる。
【００２６】
スライド部材２２は、所定長さを有する角柱状部材であり、下面にスライド溝が形成されている。スライド部材２２の表側と裏側の端面には、これらの端面を覆う端面部材２２ａ及び２２ｂが設けられている。端面部材２２ａ及び２２ｂは、それぞれストッパ機能を有し、レール部材２１の縁端が当接することで、スライド部材２２のスライド動作を規制する。
【００２７】
腕載せ部材２３は、樹脂材料から形成されたものである。この腕載せ部材２３は、例えば、スライド部材２２の移動方向に沿って伸長する回動軸２４を有する２つの蝶番を介してスライド部材２２に装着されている。腕載せ部材２３は、略水平方向位置（横向き位置）と略垂直方向位置（縦向き位置）との間で約９０度回動可能に構成されており、さらに、略水平方向位置（横向き位置）と略垂直方向位置（縦向き位置）とにおいて、その状態を保持できる構造になっている。即ち、遊技者が着席、離席時、又は遊技機用肘掛け装置１００を収納する際は、腕載せ部材２３を略水平方向位置から略垂直方向位置に約９０度回動させ、収納位置にすることができる。使用する際は、腕載せ部材２３を略垂直方向位置から略水平方向位置に約９０度逆回動させることで、展開させ腕を載せる状態とすることができる。また、腕載せ部材２３は、２つの蝶番を覆うカバー部２３ａを有している。なお、腕載せ部材２３の形状は、図示の形状に限定されるものではない。
【００２８】
固定金具３０は、金属板材から板金加工により形成されている。この固定金具３０は、コ字形に形成された支持部材側取り付け部３１と、Ｌ字形に形成された膳板側取り付け部３２と、支持部材側取り付け部３１と膳板側取り付け部３２とを連結する連結部３３とから構成されている。支持部材側取り付け部３１は、両側辺に取り付け用の複数の穴が設けられており、支持部材１０を挟むように装着されて、ネジによって固定するように構成されている。膳板側取り付け部３２は、水平方向の辺に取り付け用の複数の穴が設けられており、垂直方向の辺が膳板Ｔの端面に当接した状態で水平方向の辺をネジによって固定するように構成されている。連結部３３は、短辺と長辺とを有するＬ字形に形成されており、短辺側が支持部材側取り付け部３１に固着され、長辺側の端部が膳板側取り付け部３２に固着されている。
【００２９】
下端固定金具４０は、金属板材から板金加工により逆Ｔ字型に形成されている。下端固定金具４０は、嵌合凸部４１と、床に平行して当接するベース部４２と、嵌合凸部４１に設けられた切り欠き部４３と、取り付け穴４４とから構成されている。取り付け穴４４は、ベース部４２における切り欠き部４３に対応する位置に設けられている。これにより、支持部材１０を装着する際に、取り付けネジが邪魔にならない。支持部材１０を下端固定金具４０に嵌合する際に、支持部材１０の下端の嵌合凹部１２の開口側を嵌合凸部４１先端側から遊技機Ｐ側にスライドするように嵌合することができる。嵌合後、嵌合凹部１２のロック機構１３で開口を閉じ、嵌合した状態を維持することができる。
【００３０】
以上説明したように、本実施形態によれば、遊技機用肘掛け装置１００は、床面に立設される支持部材１０と、支持部材１０の上端部に設けられた肘掛け部２０と、支持部材１０に固着され、支持部材１０を遊技機Ｐの膳板Ｔに固定する固定金具３０と、床面に設けられた下端固定金具４０とを備え、支持部材１０は、遊技機Ｐ側に湾曲した形状に形成された湾曲部１１を有する構造により、隣接する座席との間を仕切る効果を有すると共に、遊技者が着席、離席時に邪魔にならない効果が得られる。また、隣接する遊技機Ｐの座席の間に簡単に設置することができ、かつ取り付け、取り外しが容易にできる。
【００３１】
また、本実施形態によれば、肘掛け部２０の腕載せ部材２３は、略垂直方向位置と略水平方向位置との間で回動可能とされると共に、略垂直方向位置と略水平方向位置とに保持できる構造になっていることで、遊技者が着席、離席時、又は遊技機用肘掛け装置１００を収納する際に、腕載せ部材２３を略垂直方向位置として収納スペースを最小限に抑えることができると共に、使用時に略水平方向位置として腕載せの機能を与えることができる。
【００３２】
さらに、肘掛け部２０の腕載せ部材２３は、少なくとも腕載せ面が樹脂材料で形成されていることで、腕載せ面に柔軟性を持たせ、手の動き、腕の動きへのなじみをよくなる。
【００３３】
図６は本発明の第２の実施形態における遊技機用肘掛け装置１００Ａの全体構成を示している。ただし、図６は、スロット台用の遊技機用肘掛け装置１００Ａの構成を示しており、同図（ａ）は遊技機用肘掛け装置１００Ａの側面から見た平面図であり、（ｂ）は遊技機用腕載せ台１００Ａの前面から見た平面図である。
【００３４】
図６に示すように、本実施形態における遊技機用肘掛け装置１００Ａは、隣接する遊技機Ｐ１の座席の間に設けられるものであり、床面に立設される支持部材１０と、支持部材１０の上端部に設けられた肘掛け部２０Ａと、支持部材１０に固着され、支持部材１０を遊技機Ｐ１の膳板Ｔ１に固定する固定金具３０Ａとを備えている。
【００３５】
遊技機用肘掛け装置１００Ａにおいて、支持部材１０は、上述した第１の実施形態と同様な構成を有するため、詳細な説明を省略する。肘掛け部２０Ａは、腕載せ部材２３に対して回動軸２４の装着位置が上述した第１の実施形態と逆の位置に装置されている以外、上述した第１の実施形態と同様な構成を有する。固定金具３０Ａは、連結部３３の長さ、及び支持部材１０への装着位置が異なる以外、上述した第１の実施形態と同様な構成を有する。即ち、連結部３３の支持部材１０への装着位置は、図６に示すように、膳板Ｔ１の高さに合わせて、支持部材１０の高さ方向の中央部に近いである。また、スロット台の操作パネルに合わせて、固定金具３０Ａの連結部３３は、第１の実施形態のパチンコ台用の場合と比べ、比較的に長いものとされている。
【００３６】
本実施形態によれば、遊技機用肘掛け装置１００Ａにおいて、支持部材１０は、遊技機Ｐ側に湾曲した形状に形成された湾曲部１１を有する構造により、隣接する座席との間を仕切る効果を有すると共に、遊技者が着席、離席時に邪魔にならない効果が得られる。また、隣接する遊技機Ｐ１の座席の間に簡単に設置することができ、かつ取り付け、取り外しが容易にできる。
【００３７】
なお、上述した実施形態において、遊技機用肘掛け装置１００及び１００Ａの支持部材１０は、木製板材から形成されているについて説明したが、本発明はこれに限定されるものではない。金属、樹脂製板材から形成されても良い。
【００３８】
また、上述した実施形態においては、腕載せ部４０は、樹脂材料で形成されている構成について説明したが、本発明はこれに限定されるものではない。例えば、腕載せ部４０の上表面部のみ樹脂材料から成型され、上表面部以外の部分が木材、又は金属材料から形成するようにしてもよい。
【００３９】
さらに、上述した実施形態において、遊技機用肘掛け装置１００及び１００Ａは、隣接する遊技機Ｐの座席の間に設置する例を説明したが、本発明はこれに限定されるものではない。遊技機以外の装置に適用してもよい。
【００４０】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００４１】
本発明は、遊技機用肘掛け装置を、隣接する遊技機の座席の間に簡単に設置し、遊技者が遊技機の操作ハンドルを操作する際等に肘を載せ、長時間にゲ−ムを続けると腕や肩に疲労を生じることを防止する目的に利用できる。
【符号の説明】
【００４２】
１０  支持部材
１１  湾曲部
１２  嵌合凹部
１２ａ  凹部
１３  ロック機構
２０  肘掛け部
２１  レール部材
２２  スライド部材
２２ａ、２２ｂ  端面部材
２３  腕載せ部材
２３ａ  カバー部
２４  回動軸
３０  固定金具
３１  支持部材側取り付け部
３２  膳板側取り付け部
３３  連結部
４０  下端固定金具
４１  嵌合凸部
４２  ベース部
４３  切り欠き部
１００、１００Ａ  遊技機用肘掛け装置
Ｐ、Ｐ１  遊技機
Ｔ、Ｔ１  膳板
【図１】
2019166106.tif 000003
【図２】
2019166106.tif 000004
【図３】
2019166106.tif 000005
【図４】
2019166106.tif 000006
【図５】
2019166106.tif 000007
【図６】
2019166106.tif 000008